(57)【要約】【課題】本発明の課題は、曲げ部で特別な治具を必要とせず任意の角度に曲げて設置でき、曲げが容易で加工性がよく、外観がよいワイヤプロテクタを提供することにある。【解決手段】本発明は、建造物内に配線をするためのワイヤプロテクタであって、建造物内に取り付けられる可撓性の基底部１２と、前記基底部１２に光ケーブル１４を覆うように取り付けられる可撓性の被覆部１６と、前記基底部１２及び被覆部１６の少なくとも１部に設けられた大径部及び小径部よりなる蛇腹状の溝１７とを具備すること特徴とするものである。【選択図】図１
2007020279.tif 000002
【特許請求の範囲】
【請求項１】
建造物内に配線をするためのワイヤプロテクタであって、
建造物内に取り付けられる可撓性の基底部と、
前記基底部に配線を覆うように取り付けられる可撓性の被覆部と、
前記基底部及び被覆部の少なくとも１部に設けられた大径部及び小径部よりなる蛇腹状の溝と
を具備することを特徴とするワイヤプロテクタ。
【請求項２】
ワイヤプロテクタの大径部で、他のワイヤプロテクタの小径部を覆って接続することを特徴とする請求項１に記載のワイヤプロテクタ。
【請求項３】
可撓性材料として、プラスチックを用いることを特徴とする請求項１又は２に記載のワイヤプロテクタ。
【請求項４】
配線として、光配線を用いることを特徴とする請求項１、２又は３に記載のワイヤプロテクタ。
【請求項５】
蛇腹状の溝として、光ケーブルの最小曲げ半径以下の曲げになるように形成した蛇腹状の溝を用いることを特徴とする請求項４に記載のワイヤプロテクタ。
【発明の詳細な説明】
【技術分野】
【０００１】
本発明は、例えばビル内又は住宅内の床又は壁等の建造物内に配線をするためのワイヤプロテクタに関するものである。
【背景技術】
【０００２】
近年、情報通信の高度化、高速化に伴い、ビル内又は住宅内への光配線の必要性が増大している。この際、主な配線方法として、（１）壁面にステップルなどを設置し光ケーブルを布設するもの、（２）壁面にワイヤプロテクタなどを設置しその内部に光ケーブルを布設するもの、そして、（３）壁裏に配管を設置しその内部に光ケーブルを通線するものの３つがある。配線を想定した配管が予め布設してないケースでは（１）、（２）の配線形態が採用されているが、美感と光ケーブル保護の観点では（３）の配線形態が優れている。
【０００３】
図３は従来のワイヤプロテクタを示す構成図である。図３に示すように、建造物の壁１にはワイヤプロテクタの直線状基部２が貼り付けられ、前記直線状基部２にはワイヤプロテクタの直線状カバー部３，４が光ケーブル５を覆うようにして取り付けられる。前記直線状カバー部４には直線状カバー部６が接続され、前記直線状カバー部４と直線状カバー部６の接続部には接続部カバー７が被せられる。前記直線状カバー部３と前記直線状カバー部４間には曲がり部カバー８が直線状カバー部３，４の端部に被せられるようにして取り付けられる。
【０００４】
しかしながら、配線の曲がり角では曲がり部カバー８を用いる必要があるが、配線の曲がりは光ケーブルの上下左右の４種類があるので、曲がり部カバーも４種類用意する必要がある。また、直線部でワイヤプロテクタ同士を接続する時には美感性を高めるために接続部カバー７を用いる必要がある（例えば、特許文献１参照。）。
【０００５】
【特許文献１】特開２００３−１４３７３４号公報
【発明の開示】
【発明が解決しようとする課題】
【０００６】
従来のワイヤプロテクタを用いて配線する際には、曲がり部において曲がり始めに合わせて直線形状のワイヤプロテクタをカットし、その後、曲がり部のワイヤプロテクタを取り付け、曲がり部のワイヤプロテクタの後に直線形状のワイヤプロテクタを付けるという作業が必要で工程が煩雑になるという問題点がある。
【０００７】
また、曲がり部のワイヤプロテクタは直線形状のワイヤプロテクタと組み合せるようにカバー部が大きくなっており、このため曲げ部が大きくなり外観を損なうものとなっていた。
【０００８】
また、曲がり部の曲がり角度は予め用意される曲がり部用の部材に依存する為、施工現場で任意の角度に曲げることはできず、曲がり部用の部材も通常は直角曲げしか準備されてないという問題点もある。
【０００９】
本発明は上記の事情に鑑みてなされたもので、曲げ部で特別な治具を必要とせず任意の角度に曲げて設置でき、曲げが容易で加工性がよく、外観がよいワイヤプロテクタを提供することを目的とする。
【課題を解決するための手段】
【００１０】
上記目的を達成するために本発明は、建造物内に配線をするためのワイヤプロテクタであって、建造物内に取り付けられる可撓性の基底部と、前記基底部に配線を覆うように取り付けられる可撓性の被覆部と、前記基底部及び被覆部の少なくとも１部に設けられた大径部及び小径部よりなる蛇腹状の溝とを具備することを特徴とするものである。
【００１１】
また本発明のワイヤプロテクタは、ワイヤプロテクタの大径部で、他のワイヤプロテクタの小径部を覆って接続することを特徴とするものである。
【００１２】
また本発明のワイヤプロテクタは、可撓性材料として、プラスチックを用いることを特徴とするものである。
【００１３】
また本発明のワイヤプロテクタは、配線として、光配線を用いることを特徴とするものである。
【００１４】
また本発明のワイヤプロテクタは、蛇腹状の溝として、光ケーブルの最小曲げ半径以下の曲げになるように形成した蛇腹状の溝を用いることを特徴とするものである。
【発明の効果】
【００１５】
本発明のワイヤプロテクタは、曲げ部で特別な治具を必要とせず任意の角度に曲げて設置でき、曲げが容易で加工性がよく、外観がよいため化粧カバー等を必要としないものである。
【発明を実施するための最良の形態】
【００１６】
以下図面を参照して本発明の実施の形態例を詳細に説明する。
図１は本発明の実施形態例に係るワイヤプロテクタの一例を示す構成図である。図１に示すように、例えばビル内又は住宅内等の建造物内の壁１１には例えばプラスチック等の可撓性材料よりなる板状の基底部１２が両面接着テープ等により貼り付けられて取り付けられる。前記基底部１２は両側縁に凹凸部１３がそれぞれ対応して設けられる。前記基底部１２には光ケーブル１４を覆うように例えばプラスチック等の可撓性材料よりなる断面コ字状の被覆部１５，１６が取り付けられる。前記被覆部１５，１６は大径部及び小径部よりなる蛇腹状の溝１７が形成されるように構成される。前記蛇腹状の溝１７の大径部端部が基底部１２両側縁の凹部に挿入されるように凹凸部が噛み合うことにより取り付けられる。図１では被覆部１５と被覆部１６が接続されているが、この場合、被覆部１５の大径部開口部が被覆部１６の小径部開口部を覆うように接続することで、接続部に化粧カバー等を取り付けることなく美感を保つことができる。このようにして光ケーブル１４を建造物内に光配線する。尚、ワイヤプロテクタの大径部及び小径部よりなる蛇腹状の溝は基底部及び被覆部の少なくとも１部に設けるようにすればよい。
【００１７】
図２は本発明の実施形態例に係るワイヤプロテクタの他の例を示す構成図である。図２に示すように、例えばビル内又は住宅内等の建造物内の壁２１には例えばプラスチック等の可撓性材料よりなる板状の基底部２２，２３が縦方向及び横方向に所定間隔離して両面接着テープ等により貼り付けられて取り付けられる。前記基底部２２，２３にはそれぞれ大径部及び小径部よりなる蛇腹状の溝が形成された被覆部２４，２５が取り付けられる。前記被覆部２４，２５の相互間には大径部及び小径部よりなる蛇腹状の溝が形成された被覆部２６が曲げられた状態で被覆部２４，２５の大径部開口部が被覆部２６の小径部開口部を覆うように接続される。この場合、被覆部２６は小径部が変形することで容易に曲げることができる。また、被覆部２６が取り付けられる曲がり部では基底部は用いていない。また、被覆部２６は蛇腹状の溝の大径部と小径部の形状、寸法によって最小曲げ半径が決定されるので、光ケーブルの最小曲げ半径以上に構成することにより光ケーブルの曲げ過ぎによる障害を回避することができる。このように、ワイヤプロテクタは光ケーブルの最小曲げ半径以上で任意の角度に曲げることができ、曲げ部で特別な治具を必要としない。また、蛇腹状の溝の形状により曲げが容易であり加工性がよい。さらに、曲がり部や接続部においてワイヤプロテクタの切れ目や内部の配線の露出を生じず、化粧カバーなどを使用する必要もない等、外観がよくなる。
【００１８】
以上のように、本発明の実施形態例に係るワイヤプロテクタによれば、ワイヤプロテクタそのものを容易い曲げられる構造とすることで、曲がり部用の部材が必要なくなり、施工工程の煩雑さ、美感の悪化、曲がり角度の制限の問題を回避することができる。また、蛇腹構造では容易に曲げ半径を制限することができるので、ワイヤプロテクタによって配線される光ケーブルの曲げ半径を制限することができる。さらに、大径部と小径部を持つことから両者を重ね合わせるように接続することで、別途接続部用のカバーを用いずともワイヤプロテクタ同士の接続ができるので、美観性を向上することができる。
【００１９】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００２０】
【図１】本発明の実施形態例に係るワイヤプロテクタの一例を示す構成図である。
【図２】本発明の実施形態例に係るワイヤプロテクタの他の例を示す構成図である。
【図３】従来のワイヤプロテクタを示す構成図である。
【符号の説明】
【００２１】
１１…建造物内の壁、１２…基底部、１３…凹凸部、１４…光ケーブル、１５，１６…被覆部、１７…蛇腹状の溝。
【図１】
2007020279.tif 000003
【図２】
2007020279.tif 000004
【図３】
2007020279.tif 000005